(57)【特許請求の範囲】
【請求項１】
肌に接触させる透液性内面シートと前記内面シートと向かい合う不透液性外面シートとの間に体液吸収性コアが介在し、前記コアが長さ方向と前記長さ方向に直交する幅方向と厚さ方向とを有する体液吸収性着用物品において、
前記コアは、吸水性繊維を含むものであり、前記幅方向の両側部が薄く形成され前記両側部間の中央部が前記厚さ方向の上方ヘ向かって前記両側部よりも厚く形成されるとともに該中央部及び該両側部のコア部分が同材料からなり互いに連続し、前記長さ方向へ延びた第１コアと、前記両側部のそれぞれに載置されて前記中央部の頂部に届く厚さを有する前記長さ方向へ延びた第２コアとからなり、これら第１、第２コアが別体のものであって、それぞれが透液性および体液拡散性を有する第１及び第２被覆紙によって被覆されており、前記第２被覆紙の体液拡散速度が前記第１被覆紙のそれよりも低く、前記第１被覆紙は前記内面シートの上の体液を速やかに吸収するとともに、この体液を前記第１コアの長さ方向と、幅方向と、厚さ方向とに速やかに拡散することを特徴とする前記体液吸収性着用物品。
【請求項２】
前記第１コアは、前記両側部における前記吸水性繊維の密度が前記中央部における前記吸水性繊維の密度よりも高くなるように形成されている請求項１記載の体液吸収性着用物品。
【請求項３】
前記第１コアの中央部は、前記密度が前記第２コアにおける前記吸水性繊維の密度よりも高くなるように形成されている請求項１または２記載の体液吸収性着用物品。
【請求項４】
前記第１コアは、前記両側部の剛性が前記第１コアにおける中央部の剛性および前記第２コアの剛性よりも高くなるように形成されている請求項１〜３のいずれかに記載の体液吸収性着用物品。
【請求項５】
前記第１コアは、前記両側部が前記中央部よりも強く圧縮されている請求項１〜４のいずれかに記載の体液吸収性着用物品。
【請求項６】
前記内面シートは、前記幅方向において起伏を繰り返しながら前記長さ方向へ延びる多数のひだを形成している請求項１〜５のいずれかに記載の体液吸収性着用物品。
【発明の詳細な説明】
【０００１】
【発明の属する技術分野】
この発明は、使い捨ておむつやトレーニングパンツ、生理用ナプキン、吸尿パッド等の体液吸収性着用物品に関する。
【０００２】
【従来の技術】
従来、使い捨ておむつ等の体液吸収性着用物品において、体液吸収性コアが可撓性であって、ほぼ一様な厚さを有するものは周知である。また、コアにその長さ方向へ間欠的に延びる溝を形成し、その溝と直交する方向への可撓性を高めたコアも周知である。
【０００３】
【発明が解決しようとする課題】
体液吸収性着用物品の一例である使い捨ておむつにおいて、これを着用すると、股下域に位置するコアがその幅方向へ湾曲したり、屈曲したりするように変形する。そのときに、一様な厚さを有するものは、その厚さがもたらす高い剛性によって、変形が不規則になり、コアの側部は脚周りに密着し難いことがある。また、溝が間欠的に延びるように形成されているコアは、溝と溝との間の、つまり溝の形成されていない部位の剛性が依然として高く、コアの側部が脚周りに密着するように変形するときの妨げになることがある。このように、従来のおむつのコアは、その変形の如何によって、股下域における側部が着用者の脚周りに密着し難くて体液がおむつの側部から漏れ易くなるということがある。
【０００４】
この発明では、体液吸収性着用物品の側部と肌との良好な密着が得られるように着用物品を改良し、その着用物品における漏れ防止性能を向上させることが課題である。
【０００５】
【課題を解決するための手段】
前記課題解決のために、この発明が対象とするのは、肌に接触させる透液性内面シートと前記内面シートと向かい合う不透液性外面シートとの間に体液吸収性コアが介在し、前記コアが長さ方向と前記長さ方向に直交する幅方向と厚さ方向とを有する体液吸収性着用物品である。
【０００６】
かかる体液吸収性着用物品において、この発明が特徴とするところは、以下のとおりである。前記コアは、吸水性繊維を含むものであり、前記幅方向の両側部が薄く形成され前記両側部間の中央部が前記厚さ方向の上方ヘ向かって前記両側部よりも厚く形成されるとともに該中央部及び該両側部のコア部分が同材料からなり互いに連続し、前記長さ方向へ延びた第１コアと、前記両側部のそれぞれに載置されて前記中央部の頂部に届く厚さを有する前記長さ方向へ延びた第２コアとからなる。これら第１、第２コアは、別体のものであって、それぞれが体液拡散性を有する透液性シートによって被覆されている。
【０００７】
この発明には、次のような好ましい実施態様がある。
（１）前記コアは、吸水性繊維を含むものであり、前記幅方向の両側部が薄く形成され前記両側部間の中央部が前記厚さ方向の上方ヘ向かって前記両側部よりも厚く形成されるとともに該中央部及び該両側部のコア部分が同材料からなり互いに連続し、前記長さ方向へ延びた第１コアと、前記両側部のそれぞれに載置されて前記中央部の頂部に届く厚さを有する前記長さ方向へ延びた第２コアとからなり、これら第１、第２コアが別体のものであって、それぞれが透液性および体液拡散性を有する第１及び第２被覆紙によって被覆されており、前記第２被覆紙の体液拡散速度が前記第１被覆紙のそれよりも低く、前記第１被覆紙は前記内面シートの上の体液を速やかに吸収するとともに、この体液を前記第１コアの長さ方向と、幅方向と、厚さ方向とに速やかに拡散する。
（２）前記第１コアの中央部は、前記密度が前記第２コアにおける前記吸水性繊維の密度よりも高くなるように形成されている。
（３）前記第１コアは、前記両側部の剛性が前記第１コアにおける中央部の剛性および前記第２コアの剛性よりも高くなるように形成されている。
（４）前記第１コアは、前記両側部が前記中央部よりも強く圧縮されている。
（５）前記内面シートは、前記幅方向において起伏を繰り返しながら、前記長さ方向へ延びる多数のひだを形成している。
【０００８】
【発明の実施の形態】
体液吸収性着用物品として使い捨ておむつを例にとり、添付の図面を参照してこの発明の詳細を説明すると、以下のとおりである。
【０００９】
図１に部分破断斜視図で示された使い捨ておむつ１は、着用者の肌に接触させる透液性の内面シート２と、内面シート２と向かい合い着衣に接触させる不透液性の外面シート３と、これら両シート２，３の間に介在する体液吸収性コア４とを有する。おむつ１の長さ方向には、前胴周り域６と、後胴周り域７と、これら両域６，７間に位置する股下域８とが形成されている。おむつ１はまた、この長さ方向に直交する幅方向と厚さ方向とを有し、幅方向は着用者の胴周り方向に一致する。内外面シート２，３は、コア４の周縁から延出して重なり合い、互いに接合して前後の端部フラップ１１，１２と、一対の側部フラップ１３とを形成している。これら各フラップ１１，１２，１３では、弾性リボンからなる胴周り弾性部材１４と脚周り弾性部材１６とが内外面シート２，３の少なくとも一方の内面に伸長状態で接合している。後胴周り域７の側部フラップ１３からは、テープファスナ２０が側方へ延びている。
【００１０】
コア４は、外面シート３の上にあって幅方向中央部１７が厚く、両側部１８が薄く作られているとともに中央部１７及び両側部１８のコア部材が同材料からなり、互いに連続している第１コア２１と、第１コアと別体に形成されていて、両側部１８のそれぞれに載せられている第２コア２２とからなる。第１コア２１は、透液性の第１被覆紙２３によって覆われているものであり、第２コア２２は、透液性の第２被覆紙２４によって覆われているものである。
【００１１】
図２は図１のＩＩ−ＩＩ線切断面を示し、ＩＩ−ＩＩ線は股下域８にあっておむつ１の長さを二等分している。第１コア２１と第２コア２２とは、粉砕パルプ等の吸水性繊維、吸水性繊維と熱可塑性合成繊維との混合物、吸水性繊維と高吸収性ポリマー粒子との混合物、吸水性繊維と熱可塑性合成繊維と高吸収性ポリマー粒子との混合物等をティシュペーパ等の体液拡散性と透液性とを有する第１または第２被覆紙２３，２４で覆うことにより形成されて、図には粉砕パルプ２６をティシュペーパで覆ったものの例が示されている。
【００１２】
第１コア２１において、中央部１７と両側部１８のそれぞれとは、幅ｐ，ｑと、厚さａ，ｂとを有する。幅ｐは股下域８におけるコア４の幅ｗの２０〜８０％を占め、幅ｑは幅ｗの４０〜１０％を占める。両側部１８は、その厚さｂが中央部１７の厚さａの２０〜８０％の範囲にあって、好ましくは粉砕パルプ２６の集合体を中央部１７よりも強く圧縮することにより形成されている。かような第１コア２１は、坪量が２００〜８００ｇ／ｍ２の範囲にあり、中央部１７の密度ｄ１が０．０４〜０．０８ｇ／ｃｍ３の範囲にあり、両側部１８の密度ｄ２が０．０８〜０．２ｇ／ｃｍ３の範囲にあり、両密度ｄ１とｄ２との差が好ましくは０．０１よりも大きい。このように形成される両側部１８は中央部１７よりも高い剛性を有する。
【００１３】
第２コア２２において、その幅ｒは、第１コア２１の両側部１８の幅ｑと実質的に同じであり、厚さｃは、第１コア２１における厚さａとｂとの差に実質的に同じである。かような第２コア２２は、その頂部２８が第１コア２１の頂部２７を越えることがなく、これら頂部２７，２８で形成されるコア４の頂部は、実質的に平坦である。第２コア２２はまた、その側縁部分４２が第１コア２１の側縁部分４１の直上に位置している。第２コア２２がこのように形成されたコア４の断面形状は、矩形を呈している。第２コア２２は、坪量が２００〜６００ｇ／ｍ２の範囲にあり、密度ｄ３は０．０４〜０．０８ｇ／ｃｍ３の範囲にあって、好ましい密度ｄ３は密度ｄ１よりも大きくなることがない。
【００１４】
第１コア２１を被覆する体液拡散性かつ透液性の第１被覆紙２３は、内面シート２の上の体液を速やかに吸収するとともに、この体液を第１コアの長さ方向と、幅方向と、厚さ方向とに速やかに拡散することができる。この発明において第１被覆紙２３が体液拡散性であるとは、この被覆紙２３における拡散速度が第１コア２１におけるいずれの部位の吸水性繊維の拡散速度よりも高いことを意味している。第２コア２２を被覆する第２被覆紙２４には、体液拡散速度が第１被覆紙２３のそれと同じであるかまたはそれよりも低いものが使用される。おむつ１の幅方向における体液拡散速度の低い第２被覆紙２４は、体液がおむつ１の中央から側部へ向かって流れることを抑制し、体液の横漏れを防止する効果がある。
【００１５】
図３は、図２と同様なおむつ１の図面であるが、このときのおむつ１は着用状態にあり、股下域８（図１参照）が仮想線で示されるおむつ着用者の股部にあてがわれている。おむつ１は、その幅全体が内側を凸にして湾曲し、おむつ１の側部に位置する第２コア２２が着用者の脚周りによく密着する。コア４は、股下域８においてほぼ一様な厚さａを有するものではあるが、側部は、第１コア２１と、第１コアとは別体の第２コア２２とで形成され、第１コア２１の両側部１８は薄く、両側部１８に載置された別体の第２コア２２はその両側部１８の動きを拘束することがないから、脚周り弾性部材１６の作用下に、コア４の幅全体が図示のように容易に湾曲して第２コア２２と側部フラップ１３とが脚周りによく密着する。かような着用状態にあるおむつ１は、股下域８における体液の横漏れに対してすぐれた防止性能を発揮する。なお、第１コア２１と第２コア２２とは、おむつ１の着用時における相互の自由な動きを阻害しない程度において、第１被覆紙２３または第２被覆紙２４に長さ方向へストライプ状に塗布されたホットメルト接着剤によって幅方向のごく一部分を接合することができる。
【００１６】
かように形成されるおむつ１では、第１コア２１の両側部１８の密度ｄ２を中央部１７の密度ｄ１よりも高くすることによって、また、中央部１７の密度ｄ１を第２コア２２の密度ｄ３よりも高くすることによって、第１コア２１では体液が中央部１７から側部１８へ向かって拡散する。また、第１コア２１と第２コア２２との間では、体液が第２コア２２から第１コア２１へ向かって拡散する。このようにして体液が第１コア２１の下方へ集まる傾向にあると、体液が内面シート２の上を幅方向へ流れておむつ１の側部から漏れるということが少なくなる。また、第１コア２１では、剛性の高い側部１８が剛性の低い中央部１７との境界近傍で折曲するので、第２コア２２は脚周りに対して側方からよく密着できるようになる。
【００１７】
図４は、実施態様の一例を示す図２と同様の図面である。このおむつ１では、着用者の肌に当接する内面シート２がおむつ１の幅方向において起伏を繰り返し、その起伏がおむつ１の長さ方向へ延びることによって多数のひだ３１を形成している。かような内面シート２は、ひだ３１の谷部３３において平坦な透液性の第２内面シート３２に接合している。おむつ１の側部フラップ１３では、内面シート２に代わって第２内面シート３２が外面シート３と重なり合い互いに接合して側部フラップ１３を形成している。おむつ１の長さ方向へ延びる多数のひだ３１は、コア４と着用者の肌との間の空間を埋め、山部３４の頂面３６がその肌に接触することによって体液を下方のコア４へ向かって導くとともに体液がおむつ１の幅方向へ流れることを抑制し、体液の横漏れを防止することに役立つ。このおむつ１では、図３に示されるようにコア４の幅全体が一様に湾曲することによって、多数のひだ３１が幅方向へ大きく広がる。図示してはいないが、おむつ１の両側部フラップ１３の内面には、おむつ１の長さ方向へ延び、内面上方への起立性向を有する周知の防漏カフを設けることができる。
【００１８】
吸収性コア４がこのように形成されるこの発明は、図示例の如き使い捨ておむつの他に、トレーニングパンツや、生理用ナプキン、吸尿パッド等の体液吸収性着用物品、より好ましくは使い捨ての体液吸収性着用物品で実施することができる。コア４を形成する第１コア２１と第２コア２２とには、６０重量％を限度として高吸収性ポリマー粒子を混合することができる。
【００１９】
【発明の効果】
この発明に係る体液吸収性着用物品は、吸水性コアが吸水性繊維を含むものであり、前記幅方向の両側部が薄く形成され前記両側部間の中央部が前記厚さ方向の上方ヘ向かって前記両側部よりも厚く形成されるとともに該中央部及び該両側部のコア部分が同材料からなり互いに連続し、さらに前記コアの両側部を第１コアと、第１コアとは別体の第２コアとで形成し、その両側部において第１コアの厚さを薄くし、第１コアに載置される第２コアは、コアの自由な動きを拘束することがない。したがって着用状態におけるおむつの股下域では、幅全体が一様に湾曲してコアの側部と着用者の脚周りとがよく密着し、体液の横漏れを効果的に防止することができる。
また、第１、第２コアが、それぞれ透液性および体液拡散性を有する第１及び第２被覆紙によって被覆され、前記第２被覆紙の体液拡散速度が前記第１被覆紙のそれよりも低くした。したがって、前記第１被覆紙は前記内面シートの上の体液を速やかに吸収するとともに、この体液を前記第１コアの長さ方向と、幅方向と、厚さ方向とに速やかに拡散することができる。
【図面の簡単な説明】
【図１】  使い捨ておむつの部分破断斜視図。
【図２】  図１のＩＩ−ＩＩ線切断面を示す図。
【図３】  図２のおむつが湾曲している状態を示す図。
【図４】  実施態様の一例を示す図２と同様な図。
【符号の説明】
１      使い捨ておむつ
２      内面シート
３      外面シート
４      コア
１７      中央部
１８      側部
２１      第１コア
２２      第２コア
２３      透液性シート
２４      透液性シート
２６      吸水性繊維
３１      ひだ
【図１】
0004084938.tif 000002
【図２】
0004084938.tif 000003
【図３】
0004084938.tif 000004
【図４】
0004084938.tif 000005